(57)【要約】【課題】  ストレッチャー１のベッド部２１の持ち上げ作業の初期段階において、救急隊員の負担を軽減し、持ち上げ作業の容易化を図る。【解決手段】  ストレッチャー１は、傷病者を乗せるベッド部２１と、ベッド部２１に折りたたみ自在に設けられ、ベッド部２１の上昇に伴って展開され且つベッド部２１の下降に伴って折りたたまれる脚２２と、脚２２に設けられた車輪２３とを備えている。ベッド部２１の頭側及び足側に、ベッド部２１の初期の上昇を補助する空気圧シリンダ８３，８４を設ける。【選択図】  図２
2005021626.tif 000002
【特許請求の範囲】
【請求項１】
傷病者を乗せるベッド部と、前記ベッド部に折りたたみ自在に設けられ、前記ベッド部の上昇に伴って展開され且つ前記ベッド部の下降に伴って折りたたまれる脚と、前記脚に設けられた車輪とを備えたストレッチャーであって、
前記ベッド部を最下位の位置から最下位と最上位との間の所定の中途位置にまで上昇させる持ち上げ作業の初期段階において、前記ベッド部に上昇する方向の力を与える初期上昇補助装置を備えているストレッチャー。
【請求項２】
前記初期上昇補助装置は、高圧ガスが導入されることによって前記ベッド部に上昇する方向の力を与えるアクチュエータと、前記アクチュエータをＯＮ／ＯＦＦするスイッチとを備えている請求項１に記載のストレッチャー。
【請求項３】
前記アクチュエータは、空気圧シリンダからなっている請求項２に記載のストレッチャー。
【請求項４】
前記初期上昇補助装置は、前記ベッド部に上昇する方向の力を与える油圧式のアクチュエータと、前記アクチュエータをＯＮ／ＯＦＦするスイッチとを備えている請求項１に記載のストレッチャー。
【請求項５】
前記初期上昇補助装置は、前記ベッド部に上昇する方向の力を与える電動式のアクチュエータと、前記アクチュエータをＯＮ／ＯＦＦするスイッチとを備えている請求項１に記載のストレッチャー。
【請求項６】
前記初期上昇補助装置は、前記ベッド部に揺動自在に取り付けられ、足で踏みつけられることにより回転する足踏み式レバーと、前記足踏み式レバーの回転力を前記ベッド部の上昇方向の力に変換するリンク機構とを備えている請求項１に記載のストレッチャー。
【請求項７】
前記ベッド部を前記中途位置から最上位の位置にまで上昇させる持ち上げ作業の後段階、あるいは前記ベッド部を最下位の位置から最上位の位置にまで上昇させる持ち上げ作業の全段階において、前記ベッド部に上昇する方向の力を与える主上昇補助装置を更に備えている請求項１〜６のいずれか一つに記載のストレッチャー。
【請求項８】
前記主上昇補助装置は、前記脚に展開する方向の力を与えることにより前記ベッド部に上昇方向の力を与える装置からなっている請求項７に記載のストレッチャー。
【請求項９】
前記主上昇補助装置は、高圧ガスが導入されることによって前記ベッド部に上昇する方向の力を与える主アクチュエータと、前記主アクチュエータをＯＮ／ＯＦＦする主スイッチとを備えている請求項７又は８に記載のストレッチャー。
【発明の詳細な説明】
【技術分野】
【０００１】
本発明は、ストレッチャーに関するものである。
【背景技術】
【０００２】
従来より、救急隊員が傷病者を救急車両に搬入する際などにおいて、折りたたみ自在な脚を備えたストレッチャーが用いられている。この種のストレッチャーは、傷病者を乗せるベッド部と折りたたみ自在な脚とからなり、通常は２名の救急隊員によって以下のように使用される。
【０００３】
すなわち、救急隊員は、傷病者が倒れている救急現場にストレッチャーを搬送した後、脚を折りたたみ、ベッド部を地面付近にまで下降させる。そして、傷病者をベッド部に乗せる。その後、一方の救急隊員がベッド部の頭側を掴み、他方の救急隊員がベッド部の足側を掴み、両救急隊員はベッド部を一斉に持ち上げる。このようなベッド部の上昇に伴って、脚は自重によって自動的に展開し、ストレッチャーは起立した状態になる。その後、ベッド部が所定の高さにまで上昇すると、脚は開ききった状態でロックされ、ベッド部を支持する。そして、救急隊員はストレッチャーを押しながらあるいは引っ張りながら走行させ、救急車両に搬入する。
【０００４】
ところで、ベッド部及び傷病者の全体の重量はかなり大きいため、ベッド部の持ち上げ作業には大きな力が必要となる。通常、持ち上げ作業は２名の救急隊員によって行われるものの、一人あたりの負担は相当大きなものとなる。例えば、ベッド部及び傷病者の全体重量が１２０ｋｇの場合には、救急隊員一人あたりの負担は約６０ｋｇとなる。
【０００５】
しかも、持ち上げ作業の初期段階、すなわちベッド部がある程度の高さ（例えば、救急隊員の腰の高さ）にまで持ち上げられる前は、救急隊員はかがんだ状態でベッド部を持ち上げなければならない。そのため、体の一部（特に腰部）に過度の負担をかけやすい。したがって、救急隊員は、特に持ち上げ作業の初期段階において、体の一部を傷める場合が多かった。また、かがんだ姿勢では、大きな力を出しにくい。そのため、持ち上げ作業の初期段階では、救急隊員は十分な力を発揮しにくかった。
【０００６】
一方、特許文献１には、持ち上げ作業の負担を軽減するため、ストレッチャーにロック付ガスダンパを設け、当該ダンパの反発力を利用して脚の展開を補助する脚起立機構が提案されている。
【特許文献１】登録実用新案第３０５８１６０号公報
【発明の開示】
【発明が解決しようとする課題】
【０００７】
しかし、上記脚起立機構を備えたストレッチャーでは、脚を折りたたむとき（すなわち、ダンパを縮めるとき）に、ダンパの反発力と同等の力を加える必要があった。したがって、ダンパの反発力を十分に大きくしようとすると、その分、脚の折りたたみに際して過大な力が必要となる。そのため、ストレッチャーの利便性を考慮すると、ダンパの反発力を十分に大きくすることは事実上困難であった。したがって、上記ストレッチャーでは、特に大きな力が必要とされる持ち上げ作業の初期段階において、救急隊員の負担を十分に軽減することは難しかった。
【０００８】
本発明は、かかる点に鑑みてなされたものであり、ベッド部の持ち上げ作業の初期段階において、救急隊員の負担を軽減し、持ち上げ作業の容易化を図ることを目的とする。
【課題を解決するための手段】
【０００９】
本発明に係るストレッチャーは、傷病者を乗せるベッド部と、前記ベッド部に折りたたみ自在に設けられ、前記ベッド部の上昇に伴って展開され且つ前記ベッド部の下降に伴って折りたたまれる脚と、前記脚に設けられた車輪とを備えたストレッチャーであって、前記ベッド部を最下位の位置から最下位と最上位との間の所定の中途位置にまで上昇させる持ち上げ作業の初期段階において、前記ベッド部に上昇する方向の力を与える初期上昇補助装置を備えているものである。
【００１０】
上記ストレッチャーによれば、救急隊員の本来の力を発揮しにくい持ち上げ作業の初期段階では、初期上昇補助装置によってベッド部に上昇方向の大きな力が与えられるので、救急隊員の負担は十分に軽減される。したがって、救急隊員はベッド部を容易に持ち上げることができる。また、持ち上げに際して体を傷めるおそれは少なくなる。ベッド部が中途位置にまで上昇した後は、初期上昇補助装置によるアシスト機能はなくなるが、救急隊員は力の発揮しやすい姿勢をとることができるので、その後の上昇作業を円滑に進めることができる。
【００１１】
前記初期上昇補助装置は、高圧ガスが導入されることによって前記ベッド部に上昇する方向の力を与えるアクチュエータと、前記アクチュエータをＯＮ／ＯＦＦするスイッチとを備えていてもよい。
【００１２】
前記アクチュエータは、空気圧シリンダからなっていてもよい。
【００１３】
このことにより、十分に大きな力を発揮する初期上昇補助装置が得られる。
【００１４】
前記初期上昇補助装置は、前記ベッド部に上昇する方向の力を与える油圧式のアクチュエータと、前記アクチュエータをＯＮ／ＯＦＦするスイッチとを備えていてもよい。
【００１５】
このことにより、十分に大きな力を発揮する初期上昇補助装置が得られる。
【００１６】
前記初期上昇補助装置は、前記ベッド部に上昇する方向の力を与える電動式のアクチュエータと、前記アクチュエータをＯＮ／ＯＦＦするスイッチとを備えていてもよい。
【００１７】
このことにより、十分に大きな力を発揮する初期上昇補助装置が得られる。
【００１８】
前記初期上昇補助装置は、前記ベッド部に揺動自在に取り付けられ、足で踏みつけられることにより回転する足踏み式レバーと、前記足踏み式レバーの回転力を前記ベッド部の上昇方向の力に変換するリンク機構とを備えていてもよい。
【００１９】
このことにより、救急隊員が足踏み式レバーを踏むことにより、救急隊員はかがんだ姿勢でベッド部を持ち上げなくても、ベッド部を中途位置にまで上昇させることができる。したがって、持ち上げ作業の初期段階において、ベッド部を容易に上昇させることができる。
【００２０】
前記ストレッチャーは、前記ベッド部を前記中途位置から最上位の位置にまで上昇させる持ち上げ作業の後段階、あるいは前記ベッド部を最下位の位置から最上位の位置にまで上昇させる持ち上げ作業の全段階において、前記ベッド部に上昇する方向の力を与える主上昇補助装置を更に備えていることが好ましい。
【００２１】
このことにより、持ち上げ作業の初期段階だけでなく、その後の段階又は全段階において、ベッド部の持ち上げ作業の負担の軽減を図ることができる。なお、持ち上げ作業の全段階において主上昇補助装置を作用させることとすれば、初期上昇補助装置の上昇力を小さく抑えることが可能となり、初期上昇補助装置の小型化や軽量化を図ることができる。
【００２２】
前記主上昇補助装置は、前記脚に展開する方向の力を与えることにより前記ベッド部に上昇方向の力を与える装置からなっていてもよい。
【００２３】
脚に展開する方向の力を与えることによってベッド部の上昇を補助するストレッチャーでは、脚の展開に要する荷重は、展開の初期段階において最も大きく、展開が進むにつれて徐々に減少していく。そのため、初期段階における上昇補助の必要性は、より高くなる。したがって、前記初期上昇補助装置を備えることにより、初期段階における脚の展開を容易に行うことができる。
【００２４】
前記主上昇補助装置は、高圧ガスが導入されることによって前記ベッド部に上昇する方向の力を与える主アクチュエータと、前記主アクチュエータをＯＮ／ＯＦＦする主スイッチとを備えていてもよい。
【００２５】
このことにより、高圧ガスによる大きな力を利用することによって、ベッド部の上昇を補助することができる。
【発明の効果】
【００２６】
本発明によれば、特に大きな力が必要とされかつ力の発揮しにくいかかんだ姿勢で作業を行わざるを得ない持ち上げ作業の初期段階において、ベッド部を容易に持ち上げることが可能となる。したがって、力の劣る救急隊員であっても持ち上げ作業を円滑に行うことが可能となり、また、救急隊員が体の一部を傷めることを防止することができる。
【００２７】
更に、持ち上げ作業の後段階又は全段階においてベッド部に上昇方向の力を与える主上昇補助装置を設けることとすれば、持ち上げ作業の全段階においてベッド部の上昇が補助されるので、救急隊員の負担を更に軽減することができる。
【発明を実施するための最良の形態】
【００２８】
以下、本発明の実施形態を図面に基づいて詳細に説明する。
【００２９】
＜実施形態１＞
図１及び図２に示すように、ストレッチャー１は、傷病者を乗せるベッド部２１と、ベッド部２１に折りたたみ自在に設けられた脚２２とを備えている。なお、以下の説明では、傷病者の頭部を乗せる側（図１〜２の右側）を頭側と称し、足部を乗せる側（図１〜２の左側）を足側と称することとする。
【００３０】
ベッド部２１は、いわゆる骨組構造からなり、複数のパイプ状部材を組み合わせて構成されている。ベッド部２１は、それら複数のパイプ状部材によって、傷病者を乗せる担架（図示せず）を複数箇所で支持する。なお、本実施形態ではベッド部２１と担架とは別々に構成されているが、ベッド部２１に担架が付属していてもよいことは勿論である。つまり、ベッド部２１と担架とが一体に構成されていてもよい。
【００３１】
脚２２は、各々２本ずつの前脚２４と後脚２５とからなっている。前脚２４は頭側に設けられた脚であり、主脚２４ａと、主脚２４ａの中途部に回転自在に連結された補助脚２４ｂとから構成されている。主脚２４ａの先端には、車輪２３を回転自在に保持する車輪カバー８０が取り付けられている。車輪カバー８０には、横方向（図１〜２の紙面裏表方向）に突出する突部８１が形成されている。後脚２５は足側に設けられた脚であり、主脚２５ａと、主脚２５ａの中途部に回転自在に連結された補助脚２５ｂとから構成されている。主脚２５ａの先端にも、車輪カバー８０を介して車輪２３が設けられている。車輪カバー８０にも、横方向に突出する突部８１が形成されている。
【００３２】
主脚２５ａの根元側の端部は、ベッド部２１に回転自在に支持されている。一方、後脚２５の補助脚２５ｂ、前脚２４の主脚２４ａ及び補助脚２４ｂの根元側の端部は、それぞれスライダ３１，３２，３３に回転自在に支持されている。ベッド部２１には長手方向に延びるレール２７が形成され、スライダ３１，３２，３３はレール２７に対してスライド移動自在に取り付けられている（ただし、スライダ３３は、ベッド部２１の上げ下ろしの際にはベッド部に固定される。）。
【００３３】
このような構成により、ベッド部２１を上昇させると、前脚２４及び後脚２５の自重により、前脚２４の主脚２４ａ及び後脚２５の補助脚２５ｂに頭側に向かう力が作用する。その結果、スライダ３１，３２が頭側に移動し、脚２２は展開する。一方、ベッド部２１を下降させるとスライダ３１，３２が足側に移動し、脚２２は折りたたまれる。逆に言うと、脚２２が展開するとベッド部２１は上昇し、脚２２が折りたたまれるとベッド部２１は下降することになる。
【００３４】
ストレッチャー１には脚２２のロック機構（図示せず）が設けられており、ベッド部２１が所定の最上位の位置まで上昇して脚２２の展開が終了すると、脚２２は自動的にロックされる。ベッド部２１の頭側及び足側には、上記ロック機構を解除するロック解除レバー（図示せず）が設けられている。このロック解除レバーを引くことにより、上記ロック機構は解除され、脚２２の折りたたみ（言い換えると、ベッド部２１の下降）が可能となる。
【００３５】
ベッド部２１の頭側及び足側には、それぞれ空気圧シリンダ８３，８４が取り付けられている。各空気圧シリンダ８３，８４は、ピストンロッド８５，８６（図２参照）が上下動するように、下向きの姿勢に配置されている。
【００３６】
頭側の空気圧シリンダ８３のピストンロッド８５の先端は、連結板８７の一端に取り付けられている。連結板８７の他端は、ベッド部２１に固定された支持板８８に対し回転自在に取り付けられている。連結板８７の中途部には、当て板８９が設けられている。連結板８７は頭側の車輪カバー８０の突部８１の上方に配置されており、当て板８９は突部８１と接触している。図１に示すように、空気圧シリンダ８３のピストンロッド８５が縮んだ状態では、連結板８７はほぼ水平な状態となる。一方、図２に示すように、ピストンロッド８５が伸びると、連結板８７は前下がりに傾斜した状態となる。この際、連結板８７の当て板８９は、車輪カバー８０の突部８１を下方に向かって押し、その結果、前脚２４には展開する方向の力が与えられる。
【００３７】
足側の空気圧シリンダ８４のピストンロッド８６の先端は、足側の車輪カバー８０の突部８１と接触している。そして、図２に示すように、ピストンロッド８６が伸びると、車輪カバー８０の突部８１は下向きに押し出される。その結果、後脚２５には展開方向の力が与えられる。
【００３８】
したがって本実施形態では、これら空気圧シリンダ８３，８４は、ベッド部２１の持ち上げ作業の初期段階、すなわち、ベッド部２１を最下位の位置から所定の中途位置にまで上昇させる段階において上昇を補助する初期上昇補助装置を構成している。なお、本明細書でいうところの中途位置とは、最下位（脚２２を完全に折りたたんだときの位置）と最上位（脚２２を完全に展開したときの位置）との間の任意の位置を意味しており、必ずしもそれらの中間の位置を意味する訳ではない。本実施形態では、中途位置は空気圧シリンダ８３，８４のピストンロッド８５，８６の延伸量によって決定される。逆に言うと、空気圧シリンダ８３，８４の取付位置やピストンロッド８５，８６の延伸量を調整することにより、中途位置を任意に設定することができる。
【００３９】
なお、中途位置は、救急隊員がある程度大きな力を発揮しやすい位置であることが好ましく、例えば、救急隊員の腰の位置などを中途位置に設定することができる。また、中途位置は、持ち上げ作業の際に救急隊員が体の一部（特に腰部）を傷めにくい位置であることが望ましい。
【００４０】
ベッド部２１の頭側には、空気圧シリンダ８３をＯＮ／ＯＦＦするスイッチとして、空気圧シリンダ８３に高圧ガスを供給する吸入スイッチ１１と、空気圧シリンダ８３内の高圧ガスを排出する排気スイッチ（図示せず）とが設けられている。吸入スイッチ１１及び前記排気スイッチは、いずれも押しボタン式のスイッチであり、ストレッチャー１を前側から操作する救急隊員が操作しやすいように、ボタンが前方を向くような姿勢に設置されている。
【００４１】
一方、ベッド部２１の足側には、空気圧シリンダ８４をＯＮ／ＯＦＦするスイッチとして、空気圧シリンダ８４に高圧ガスを供給する吸入スイッチ１３と、空気圧シリンダ８４内の高圧ガスを排出する排気スイッチ（図示せず）とが設けられている。吸入スイッチ１３及び前記排気スイッチも押しボタン式のスイッチであり、ストレッチャー１を後側から操作する救急隊員が操作しやすいように、ボタンが後方を向くような姿勢に設置されている。
【００４２】
ただし、空気圧シリンダ８３，８４をＯＮ／ＯＦＦするスイッチは上記のものに限定されず、種々のスイッチを用いることができる。例えば、回転式のスイッチ（ダイアル式スイッチ等）であってもよく、レバーを引っ張る形式のスイッチ等であってもよい。また、空気圧シリンダ８３，８４のＯＮ／ＯＦＦをロック解除レバーと連動させてもよく、ロック解除レバーを空気圧シリンダ８３，８４のスイッチとして兼用してもよい。
【００４３】
図示は省略するが、空気圧シリンダ８３，８４に高圧ガスを供給する高圧ガス供給源をストレッチャー１に付属させておいてもよい。例えば、ベッド部２１に、高圧ガスを貯留するガスタンクを設置しておいてもよい。ストレッチャー１に、ガスタンクと空気圧シリンダ８３，８４とをつなぐガス配管を設けておいてもよい。
【００４４】
あるいは、救急現場において、空気圧シリンダ８３，８４を外部のガス供給源（ガスボンベ等）と接続し、当該ガス供給源から高圧ガスを供給するようにしてもよい。この場合、ストレッチャー１には、ガス供給源と接続され、ガス供給源から空気圧シリンダ８３，８４に高圧ガスを導入するガス導入部を設けておくことが好ましい。ただし、空気圧シリンダ８３，８４に対して高圧ガスを直接導入することも勿論可能である。
【００４５】
次に、ストレッチャー１の使用方法について説明する。
【００４６】
ストレッチャー１は、予め救急車に搭載されている。そして、救急車が救急現場に到着すると、救急隊員はストレッチャー１を救急車から搬出する。この際、足側のロック解除レバーを引き、ストレッチャー１を引き出す。その結果、ストレッチャー１は、脚２２を折りたたんだ状態から展開した状態になり、走行が可能となる。この状態で、救急隊員はストレッチャー１を押しながら、あるいは引きながら走行させ、ストレッチャー１を傷病者の付近に移動させる。
【００４７】
ストレッチャー１を傷病者の付近に移動させると、ストレッチャー１の前後において、２名の救急隊員によりベッド部２１の引き下げ動作及び持ち上げ動作を行う。引き下げ動作に際しては、ロック解除レバーを引いて脚２２のロック機構（図示せず）を解除しながら、ベッド部２１を引き下げる。すなわち、脚２２を折りたたむ。そして、傷病者をベッド部２１に乗せる。
【００４８】
持ち上げ動作に際しては、ロック解除レバーを引きながら、ストレッチャー１の前側に位置する救急隊員が頭側の吸入スイッチ１１を押し、後側に位置する救急隊員が足側の吸入スイッチ１３を押す。その結果、空気圧シリンダ８３，８４に高圧ガスが導入され、前脚２４及び後脚２５に展開方向の力が与えられる。
【００４９】
吸入スイッチ１１，１３を入力した後、または入力と同時に、救急隊員はベッド部２１を中途位置にまで持ち上げる（持ち上げ作業の初期段階）。この際、空気圧シリンダ８３，８４によって前脚２４及び後脚２５に展開方向の力が与えられているので、救急隊員は小さな力でベッド部２１を持ち上げることが可能となる。なお、空気圧シリンダ８３，８４に導入される高圧ガスの圧力を大きくすることにより、救急隊員がベッド部２１を持ち上げることなく、ベッド部２１を中途位置にまで上昇させることも可能である。すなわち、中途位置までの上昇を完全に自動化することも可能である。
【００５０】
ベッド部２１を中途位置にまで持ち上げた後は、ベッド部２１を更に持ち上げることにより、最上位の位置にまで上昇させる（持ち上げ作業の後段階）。その結果、脚２２は展開した状態となる。その状態でロック解除レバーを解放すると、前記ロック機構が働き、脚２２は展開した状態に固定される。その後、救急隊員はストレッチャー１を救急車に搬入する。
【００５１】
以上のように、本ストレッチャー１は、救急隊員によるベッド部２１の持ち上げ作業の初期段階において、その持ち上げ作業を補助するパワーアシスト機能を有している。すなわち、救急隊員がベッド部２１を持ち上げる際に、空気圧シリンダ８３，８４によって脚２２を展開する方向に大きな力が加えられるので、ベッド部２１には上向きの大きな力が与えられる。したがって、かがんだ姿勢での作業を余儀なくされる初期段階において、救急隊員の負担が大幅に軽減される。そのため、力の劣る救急隊員であっても、ベッド部２１の持ち上げ作業を円滑に実行することができる。また、救急隊員の疲労軽減やダメージ（腰痛など）の防止を図ることができる。
【００５２】
本実施形態では、初期上昇補助装置として空気圧シリンダ８３，８４を用いることとしたので、初期上昇補助装置を比較的簡易に構成することができる。また、構造や動作が簡単であることから、信頼性の高い初期上昇補助装置を得ることができる。
【００５３】
高圧ガスを貯留するガス供給源（タンク等）をストレッチャー１に付属させることとすれば、ガス供給源を別途用意する必要がなく、ストレッチャー１の搬送現場において空気圧シリンダ８３，８４をいつでも自由に作動させることが可能となる。
【００５４】
なお、本ストレッチャー１で使用される高圧ガスの種類は特に限定されず、例えば酸素ガス、高圧空気、窒素ガス等を好適に用いることができる。
【００５５】
頭側及び足側の空気圧シリンダの個数は各々１個に限らず、２個以上であってもよい。
【００５６】
上記実施形態では、初期上昇補助装置として空気圧シリンダ８３，８４を用いていたが、高圧ガスを導入し、高圧ガスを利用してベッド部２１を上昇させる力を与える他の装置であってもよい。例えば、初期上昇補助装置として、空気圧モータ等を用いることも可能である。
【００５７】
上記実施形態のように、初期上昇補助装置は脚２２に展開方向の力を与えることによってベッド部２１を上昇させるものであってもよいが、脚２２自体に力を与えることなくベッド部２１に上昇方向の力を与えるものであってもよい。例えば、ベッド部２１と地面との間に配置され、地面を押すことによってベッド部２１を上昇させる上昇補助装置であってもよい。
【００５８】
なお、ベッド部２１を急激に上昇させると、ベッド部２１に乗った傷病者は衝撃を受けやすい。そこで、初期上昇補助装置に、ベッド部２１の上昇速度を調整する速度調整手段を設けてもよい。例えば、空気圧シリンダ８３，８４の高圧ガスの配管系統に、スピードコントローラ（速度調整弁）を設けるようにしてもよい。このことにより、傷病者のストレスを低減することができる。
【００５９】
＜実施形態２＞
図３に示すように、実施形態２に係るストレッチャー１は、実施形態１の空気圧シリンダ８３，８４に代えて、初期上昇補助装置として、手動式ポンプを内蔵した空気圧シリンダ９３，９４を備えたものである。
【００６０】
頭側の空気圧シリンダ９３には、昇圧レバー９７が設けられている。昇圧レバー９７は前方に延び、ベッド部２１よりも前方に突出している。これにより、頭側に位置する救急隊員は、昇圧レバー９７を足で操作する（つまり、足で踏みつけることによって昇圧レバー９７を漕ぐ）ことができる。したがって、シリンダ内の圧力を容易に上昇させ、ピストンロッド９５を容易に延伸させることができる。
【００６１】
足側の空気圧シリンダ９４にも、後方に突出する昇圧レバー９８が設けられている。したがって、足側に位置する救急隊員も、昇圧レバー９８を足で操作することにより、空気圧シリンダ９４を容易に操作することができる。
【００６２】
その他の構成は実施形態１と同様であるので、それらの説明は省略する。
【００６３】
以上のように、本実施形態では、持ち上げ作業の初期段階において、足を用いることによって空気圧シリンダ９３，９４を作動させることができ、ベッド部２１を容易に上昇させることができる。したがって、実施形態１と同様、持ち上げ作業の初期段階において救急隊員の負担を軽減することができる。
【００６４】
なお、本実施形態では、昇圧レバー９７，９８の操作速度を調整することにより、ベッド部２１の上昇速度を容易に調整することができる。したがって、持ち上げ作業の初期段階において、ベッド部２１上の傷病者に過度の負担を与えるおそれがなく、作業を円滑に進めることができる。
【００６５】
＜実施形態３＞
図４に示すように、実施形態３に係るストレッチャー１は、実施形態１の空気圧シリンダ８３，８４に代えて、初期上昇補助装置としてハイドリックシリンダ１０３，１０４を備えたものである。
【００６６】
ハイドリックシリンダ１０３，１０４は、手動式ポンプを内蔵した油圧シリンダである。頭側及び足側のハイドリックシリンダ１０３，１０４には、シリンダ内の油圧を上昇させる昇圧レバー１０７，１０８がそれぞれ設けられている。実施形態２と同様、頭側の昇圧レバー１０７はベッド部２１よりも前方に突出し、足側の昇圧レバー１０８はベッド部２１よりも後方に突出している。これにより、頭側及び足側に位置する各々の救急隊員は、それぞれ昇圧レバー１０７，１０８を足で操作することにより、ハイドリックシリンダ１０３，１０４のピストンロッド１０５，１０６を延伸させることができる。
【００６７】
その他の構成は実施形態１と同様であるので、説明を省略する。
【００６８】
本実施形態においても、持ち上げ作業の初期段階において、足を用いることによってハイドリックシリンダ１０３，１０４を作動させることができ、ベッド部２１を容易に上昇させることができる。したがって、救急隊員の負担を軽減することができ、実施形態１と同様の効果を得ることができる。
【００６９】
また、本実施形態においても、昇圧レバー１０７，１０８の操作速度を調整することにより、ベッド部２１の上昇速度を容易に調整することができる。したがって、持ち上げ作業の初期段階において、ベッド部２１上の傷病者に過度の負担を与えるおそれがなく、作業を円滑に進めることができる。
【００７０】
＜実施形態４＞
図５に示すように、実施形態４に係るストレッチャー１は、実施形態１の空気圧シリンダ８３，８４に代えて、初期上昇補助装置として油圧シリンダ１１３，１１４を備えたものである。
【００７１】
ベッド部２１の頭側には、油圧シリンダ１１３，１１４に油を供給する油圧ポンプ１１７が設けられている。なお、本実施形態では油圧ポンプ１１７を頭側に設ける場合を示したが、その形状、寸法及び取付位置等は、何ら限定されるものではない。図示は省略するが、ベッド部２１には、油圧シリンダ１１３，１１４をＯＮ／ＯＦＦする吸入スイッチと排出スイッチとが設けられている。吸入スイッチ及び排出スイッチの種類は何ら限定されないが、例えば実施形態１の吸入スイッチ１１，１３及び排気スイッチと同様のものを好適に用いることができる。
【００７２】
その他の構成は実施形態１と同様であるので、それらの説明は省略する。
【００７３】
本実施形態においても、持ち上げ作業の初期段階において、油圧を利用することによって、ベッド部２１に対し上昇方向の大きな力を加えることができる。したがって、救急隊員の負担を軽減することができ、実施形態１と同様の効果を得ることができる。
【００７４】
なお、本実施形態においても、実施形態１と同様、ベッド部２１の上昇速度を調整する速度調整装置を設けることが好ましい。
【００７５】
＜実施形態５＞
図６に示すように、実施形態５に係るストレッチャー１は、実施形態１の空気圧シリンダ８３，８４に代えて、初期上昇補助装置として電動式アクチュエータ１２３，１２４を備えたものである。
【００７６】
電動式アクチュエータ１２３，１２４は、伸び縮みするロッド１２５，１２６を備えている。実施形態１のピストンロッド８５と同様、ロッド１２５の先端は連結板８７に取り付けられている。また、実施形態１のピストンロッド８６と同様、ロッド１２６の先端は後脚２５の車輪カバー８０の突部８１と接触している。
【００７７】
ベッド部２１の頭側には、電動式アクチュエータ１２３，１２４に電気を供給するバッテリー１２７が設けられている。なお、本実施形態ではバッテリー１２７を頭側に設ける場合を示したが、その形状、寸法及び取付位置等は、何ら限定されるものではない。図示は省略するが、ベッド部２１には、電動式アクチュエータ１２３，１２４をＯＮ／ＯＦＦするスイッチが設けられている。
【００７８】
その他の構成は実施形態１と同様であるので、それらの説明は省略する。
【００７９】
本実施形態によれば、持ち上げ作業の初期段階において、電動式アクチュエータ１２３，１２４によってベッド部２１に対し上昇方向の大きな力を加えることができる。したがって、救急隊員の負担を軽減することができ、実施形態１と同様の効果を得ることができる。
【００８０】
なお、本実施形態においても、ベッド部２１の上昇速度を調整する速度調整装置を設けることが好ましい。
【００８１】
＜実施形態６＞
図７及び図８に示すように、実施形態６に係るストレッチャー１は、実施形態１の空気圧シリンダ８３，８４に代えて、初期上昇補助装置として、足踏みレバー１３０と、足踏みレバー１３０の回転力をベッド部２１の上昇力に変換するリンク機構１３８とを備えたものである。
【００８２】
ベッド部２１には、下方に延びる取付板１３６が設けられている。この取付板１３６の先端にはピン１３５が設けられ、連結板１３４の中途部は、ピン１３５に回転自在に支持されている。連結板１３４の後端の下部には、車輪カバー８０の突部８１と接触する当て板１３７が固定されている。連結板１３４の前端部は、連結板１３３に回転自在に支持されている。
【００８３】
頭側に設けられた足踏みレバー１３０は、ベッド部の前方に延びており、その根元部は連結板１３３に回転自在に取り付けられた取付部１３１を形成している、足踏みレバー１３０の先端側は、左右方向（図７及び図８の紙面表裏方向）に延びる棒状に形成されており、持ち上げ作業の際に救急隊員によって踏まれる足踏み部１３２を形成している。
【００８４】
救急隊員が足踏み部１３２を踏みつけることにより、足踏みレバー１３０は前下がりに回転する。足踏みレバー１３０が前下がりに回転すると、連結板１３４はピン１３５を支点として回転し、前上がりに傾斜する。その際、連結板１３４の当て板１３７は、車輪カバー８０の突部８１を下向きに押しつける。その結果、前脚２４は展開する方向の力を受け、ベッド部２１には上昇方向の力が与えられる。このように、連結板１３３及び連結板１３４は、足踏みレバー１３０の回転力をベッド部２１の上昇力（ベッド部２１を上昇させる力）に変換するリンク機構１３８を形成している。
【００８５】
なお、図示は省略するが、ベッド部２１の足側においても、同様のリンク機構１３８が設けられている。
【００８６】
ベッド部２１の持ち上げ作業の初期段階では、救急隊員は、自らの体重をも利用して足踏みレバー１３０を足で踏みつけ、足踏みレバー１３０の先端側を押し下げる。このことにより、救急隊員は、かがんだ姿勢をとらなくても、ベッド部２１を中途位置にまで容易に上昇させることができる。また、手で持ち上げる力よりも足で踏みつける力の方が大きいため、救急隊員はより大きな力を発揮することができる。
【００８７】
したがって、本実施形態においても、救急隊員に大きな負担をかけることなく、ベッド部２１を中途位置まで容易に上昇させることができる。
【００８８】
なお、本実施形態では、足踏みレバー１３０をゆっくりと踏むことによって、ベッド部２１を緩やかに上昇させることができる。そのため、ベッド部２１の傷病者に過度の負担を与えるおそれはなく、作業を円滑に進めることができる。
【００８９】
＜実施形態７＞
図９及び図１０に示すように、実施形態７に係るストレッチャー１は、実施形態１のストレッチャー１に対して、ベッド部２１の持ち上げ作業の全段階において持ち上げ作業を補助する主上昇補助装置を設けたものである。
【００９０】
図９に示すように、ベッド部２１の下部には、それぞれ左右一対の頭側空気圧シリンダ８及び足側空気圧シリンダ９が取り付けられている。これら空気圧シリンダ８，９は、筒状のシリンダ本体３０と、シリンダ本体３０に挿入されたピストンロッド２８とからなっている。シリンダ本体３０の内部は、ピストンロッド２８によって加圧室５１と大気開放室５２とに区画されている（図１０参照）。本実施形態に係る空気圧シリンダ８，９は、シリンダ本体３０内の加圧室５１に高圧ガスを導入することにより、当該高圧ガスの圧力によってピストンロッド２８に縮む方向の力を発生させるものである。
【００９１】
各空気圧シリンダ８，９は、ベッド部２１の長手方向とほぼ平行に配置されている。空気圧シリンダ８のシリンダ本体３０の先端側には、シリンダ金具４が設けられている。頭側の空気圧シリンダ８のピストンロッド２８は、引込みブロック５及び引込みプレート６を介してスライダ３２に固定されている。したがって、ピストンロッド２８の伸縮に従って、スライダ３２は前後方向（図９の左右方向）にスライド移動する。一方、足側の空気圧シリンダ９のピストンロッド２８は、引込みプレート７を介してスライダ３１に固定されている。したがって、ピストンロッド２８の伸縮に従って、スライダ３１は前後方向にスライド移動する。
【００９２】
ベッド部２１の足側には、高圧ガスを貯留するタンク１０が取り付けられている。タンク１０には、外部から高圧ガスを導入するガス導入口３４が形成されている。ガス導入口３４には、逆止弁や開閉弁等の開閉手段４０（図１０参照。図９では図示せず。）が設けられ、この開閉手段４０により開閉自在に構成されている。タンク１０と各空気圧シリンダ８，９，８３，８４とは、ガス配管（図示せず）によって接続されている。このように、本ストレッチャー１では、ストレッチャー１に付属したタンク１０から各空気圧シリンダ８，９，８３，８４に高圧ガスが供給される。
【００９３】
なお、タンク１０の形状、寸法及び取付位置等は、何ら限定されるものではない。タンク１０の容量は、空気圧シリンダ８，９，８３，８４を最低１回作動させるのに十分な程度であればよい。あるいは、持ち上げ作業のやり直しを可能としつつタンク１０の小型化を図るために、空気圧シリンダ８，９，８３，８４を２〜３回作動させる程度の容量としてもよい。また、ガス配管の配管構成も何ら限定されるものではない。ガス配管は、ステンレス、アルミニウム、鉄等からなる配管であってもよく、可撓性を有する配管であってもよい。ガス配管を耐圧性のホースやチューブ等で形成することも可能である。
【００９４】
図１０は、高圧ガスの配管系統図である。配管系統５０は、頭側の空気圧シリンダ８，８３を制御する頭側系統４１と、足側の空気圧シリンダ９，８４を制御する足側系統４２とから構成されている。
【００９５】
タンク１０から高圧ガスを導入する吸入管４３には、メカニカルバルブからなるメインスイッチ７０が設けられている。吸入管４３は、頭側系統４１の吸入管４３ａと足側系統４２の吸入管４３ｂとに分岐している。吸入管４３ａには、頭側のロック解除レバー３５ａと連動してＯＮ／ＯＦＦする吸入スイッチ１１ａが設けられている。一方、吸入管４３ｂには、足側のロック解除レバー３５ｂと連動してＯＮ／ＯＦＦする吸入スイッチ１３ａが設けられている。
【００９６】
頭側系統４１は、前記吸入管４３ａと、吸入管４３ａから分岐して各空気圧シリンダ８の加圧室５１に接続された２本の分岐管４４と、空気圧シリンダ８の大気開放室５２と外部とを連通する開放管４５とを備えている。吸入管４３ａには、タンク１０側から順に、吸入スイッチ１１ａとスピードコントローラ（速度制御弁）４７とが設けられている。
【００９７】
また、頭側系統４１は、空気圧シリンダ８３を作動させるための配管系統を備えている。すなわち、頭側系統４１は、メカニカルバルブからなる吸排気スイッチ１１ｂと、吸入管４３ａと吸排気スイッチ１１ｂとをつなぐ吸入管４３ｃと、吸排気スイッチ１１ｂと各空気圧シリンダ８３の加圧室５１ａとを接続する吸入管４４ａと、吸排気スイッチ１１ｂと各空気圧シリンダ８３の大気開放室５２ａとを接続する開放管４５ａとを備えている。なお、吸入管４３ｃの一端は、吸入管４３ａにおけるメインスイッチ７０と吸入スイッチ１１ａとの間に接続されている。
【００９８】
足側系統４２の空気圧シリンダ９の配管系統は、頭側系統４１の空気圧シリンダ８の配管系統とほぼ同様の構成を有している。足側系統４２の吸入管４３ｂにも吸入スイッチ１３ａとスピードコントローラ４７とが設けられている。一方、吸入管４３ｂにおける吸入スイッチ１３ａとスピードコントローラ４７との間には、吸入管４４ｂの一端が接続されている。吸入管４４ｂの他端は、空気圧シリンダ８４の加圧室５１ａに接続されている。
【００９９】
配管系統５０は、系統内の高圧ガスを大気開放するための排気管４６を備えている。排気管４６の一端はメインスイッチ７０に接続され、他端は大気開放されている。排気管４６には、一端側から他端側に向かって順に、メカニカルバルブからなる排気スイッチ１４とスピードコントローラ４８とが設けられている。
【０１００】
更に、配管系統５０は、上昇補助装置を強制解除するための解除装置７２を備えている。すなわち、頭側及び足側の吸入管４３ａ，４３ｂは、大気開放管７３ａ，７３ｂにそれぞれ接続されている。大気開放管７３ａの一端は、吸入管４３ａにおける吸入スイッチ１１ａとスピードコントローラ４７との間に接続され、その他端は解除スイッチ７１に接続されている。大気開放管７３ｂの一端は、吸入管４３ｂにおける吸入スイッチ１３ａとスピードコントローラ４７との間に接続され、その他端は解除スイッチ７１に接続されている。解除スイッチ７１は、大気開放管７３ａ，７３ｂの大気開放を切り替えるスイッチであり、メカニカルバルブによって構成されている。ただし、解除スイッチ７１の構成は何ら限定されるものではない。これら大気開放管７３ａ，７３ｂ及び解除スイッチ７１は、上昇補助装置を解除する解除装置７２を構成している。
【０１０１】
なお、吸入管４３ａ，４３ｂのスピードコントローラ４７は、ベッド部２１の上昇の速度を調整する速度調整手段を形成し、排気管４６のスピードコントローラ４８は、ベッド部２１の下降の速度を調整する速度調整手段を形成している。
【０１０２】
本実施形態では、ベッド部２１の持ち上げ動作の際には、まず、メインスイッチ７０を入力する。そして、吸排気スイッチ１１ｂを入力すると共に、頭側及び足側の救急隊員がそれぞれ頭側及び足側のロック解除レバー３５ａ，３５ｂを引く。これにより、脚２２のロック機構は解除され、吸入スイッチ１１ａ，１３ａは入力される。その結果、タンク１０内の高圧ガスは、空気圧シリンダ８３，８４の加圧室５１ａ及び空気圧シリンダ８，９の加圧室５１にそれぞれ導入される。これにより、持ち上げ作業の初期段階にあっては空気圧シリンダ８３，８４及び空気圧シリンダ８，９の両方により、また、持ち上げ作業の後段階にあっては空気圧シリンダ８，９により、脚２２に展開方向の力が加えられる。その結果、ベッド部２１には上昇方向の力が与えられる。したがって、救急隊員はベッド部２１を容易に持ち上げることができる。ベッド部２１を上昇させた後は、ロック解除レバー３５ａ，３５ｂを離し、脚２２をロックする。
【０１０３】
ところで、上昇補助装置に故障が生じたときには、当該上昇補助装置を解除し、ベッド部２１の上昇を人手のみで行う方が好ましい場合もあり得る。また、上昇補助装置に故障が生じると、脚２２に展開方向の力が加わったままとなり、脚２２を容易に折りたたむことが困難になる場合も考えられる。例えば、脚２２を展開した後に吸入スイッチ１１ａ，１３ａに故障が発生すると、空気圧シリンダ８，９の加圧室５１から高圧ガスを抜くことができず、そのままではベッド部２１を救急車に搬入することが困難となる。
【０１０４】
そこで、本実施形態では、上昇補助装置を強制的に解除する解除装置７２を設けることとした。具体的には、吸入管４３ａ，４３ｂに、解除スイッチ７１を有する大気開放管７３ａ，７３ｂを接続することとした。
【０１０５】
本実施形態では、配管系統５０に何らかの不具合が生じた場合等には、解除スイッチ７１を入力することにより、大気開放管７３ａ，７３ｂを通じて、空気圧シリンダ８，９内の高圧ガスを強制的に大気開放させる。これにより、配管系統５０の高圧部分は外部に開放され、上昇補助装置は強制的に解除されることになる。したがって、故障時に上昇補助装置が作業の妨げとなるおそれはない。そのため、万一の場合には、救急隊員は脚２２の展開又は折りたたみを人手のみで実行することができる。したがって、救急作業の信頼性を向上させることができる。
【０１０６】
以上のように、本ストレッチャー１は、ベッド部２１の持ち上げ作業の全段階において救急隊員の作業を補助するパワーアシスト機能を有している。したがって、救急隊員の負担が大幅に軽減される。そのため、力の劣る救急隊員であっても、ベッド部２１の持ち上げ作業を円滑に実行することができる。また、救急隊員の疲労軽減やダメージ（腰痛など）の防止を図ることができる。
【０１０７】
ところで、本実施形態のように、脚２２を展開させることによってベッド部２１を上昇させるストレッチャーでは、脚２２の展開のために必要な荷重は、持ち上げ作業の初期段階で特に大きくなる。具体的には図１１に示すように、必要荷重は、ベッド部２１が最下位の位置にあるときに最も大きく、ベッド部２１の上昇と共に急激に小さくなっていく。このような必要荷重とベッド部２１の高さとの関係は、脚２２の折りたたみ構造に基づくものである。つまり、ベッド部２１の上昇方向は鉛直方向であり、脚２２を展開する力のうちベッド部２１の上昇に寄与する成分は、主脚２４ａ，２５ａの長手方向に沿って作用する力の鉛直成分に限られるからである。そのため、ベッド部２１の高さが低いと、脚２２は未だ十分に起立していないため、脚２２に作用する力の鉛直方向成分は小さくなり、大きな荷重が必要となる。一方、ベッド部２１の高さが高くなると、脚２２はある程度起立した状態となるため、脚２２に作用する力の鉛直方向成分が大きくなり、必要荷重は小さくなる。
【０１０８】
したがって、主上昇補助装置だけを備えたストレッチャーでは、初期段階で必要とされる大きな荷重を発揮するような比較的大容量の上昇補助装置が必要となる。しかし、本実施形態のように、主上昇補助装置を初期上昇補助装置と組み合わせることにより、主上昇補助装置の必要荷重を小さく抑えることが可能となる。したがって、主上昇補助装置の小型化又は小容量化を図ることができる。
【０１０９】
吸入管４３ａ、４３ｂにスピードコントローラ４７を設け、タンク１０から空気圧シリンダ８，９への高圧ガスの流入速度を調整することとしたので、脚２２が急激に展開することを防止することができる。そのため、傷病者に衝撃や揺れなどの負担を与えないように、ベッド部２１をゆっくりと上昇させることができる。また、脚２２の起立速度を救急隊員の持ち上げ作業や傷病者の体重等に応じて自由に調節することができ、持ち上げ作業をより効率的に行うことができる。
【０１１０】
排気管４６にスピードコントローラ４８を設け、空気圧シリンダ８，９内の高圧ガスを排出する際の排出速度を調整することとしたので、高圧ガスの急激な放出を防止することができる。したがって、高圧ガスの放出時に傷病者や救急隊員等に不要な刺激を与えることがなく、ストレッチャー１の利便性を向上させることができる。また、ベッド部２１の急激な下降を防止することができ、救急隊員の作業負担及び傷病者のストレスを軽減することができる。さらに、ストレッチャー１に対する衝撃が少なくなるので、ストレッチャー１の長寿命化を図ることができる。
【０１１１】
ベッド部２１の持ち上げ作業を補助するアクチュエータとして、空気圧シリンダ８，９を用いることとしたので、アクチュエータを比較的簡易に構成することができる。また、構造や動作が簡単であることから、信頼性の高いアクチュエータを得ることができる。更に、アクチュエータの軽量化を図ることができる。
【０１１２】
高圧ガスを貯留するタンク１０をストレッチャー１に付属させることとしたので、空気圧シリンダ８，９，８３，８４に高圧ガスを供給するガス供給源（ガスボンベ等）を別途用意する必要がなく、ストレッチャー１の搬送現場において空気圧シリンダ８，９，８３，８４をいつでも自由に作動させることができる。
【０１１３】
なお、本実施形態ではタンク１０は着脱不能な固定式のタンクであるが、タンク１０は着脱自在に構成されていてもよい。また、本実施形態では、タンク１０はベッド部２１に固定されているが、配管又はチューブ等を介して空気圧シリンダ８，９と接続されている限り、タンク１０はベッド部２１と別々に設けられていてもよい。
【０１１４】
なお、ストレッチャー１の高圧ガスの配管系統は、前記配管系統５０（図１０参照）に限定されるものではない。
【０１１５】
本ストレッチャー１で使用される高圧ガスは、酸素ガスに限らず、高圧の空気、窒素ガス等、他の種類のガスであってもよい。
【０１１６】
各空気圧シリンダ８，９の個数は２個に限らず、１個又は３個以上であってもよい。空気圧シリンダ８，９の個数は何ら限定されない。
【０１１７】
上記実施形態の空気圧シリンダ８，９は、高圧ガスを導入することによってピストンロッド２８が縮む形式の空気圧シリンダであったが、脚２２等の構造を変更することにより、高圧ガスの導入によってピストンロッドが伸びる形式の空気圧シリンダを用いることも勿論可能である。
【０１１８】
ベッド部２１の上昇速度及び下降速度を調整する速度調整手段はスピードコントローラ４７，４８に限定されず、他の種類の速度調整手段、例えば他の機械式又は電子式の速度調整手段であってもよい。
【０１１９】
上記ストレッチャー１は、タンク１０を付属させることによって利便性の向上を図ったものであったが、本発明に係るストレッチャーには、タンク１０を付属しないものも含まれる。例えば、ガスの配管系統５０にガス導入口を設け、ガスボンベ等のガス供給源から配管系統５０に高圧ガスを直接導入するようにしてもよい。このようなストレッチャーであっても、高圧ガスを利用したパワーアシスト機能を発揮することができる。
【０１２０】
上記実施形態では、主上昇補助装置のアクチュエータとして空気圧シリンダ８，９を用いていたが、本発明に係るアクチュエータは空気圧シリンダに限定されるものではなく、高圧ガスを導入し、当該高圧ガスを利用してベッド部２１に上昇方向の力を与える他の種類のアクチュエータであってもよい。例えば、アクチュエータとして空気圧モータを用いることも可能である。
【０１２１】
また、アクチュエータは、高圧ガスを利用するものに限らず、他の駆動源を利用するアクチュエータであってもよい。例えば、油圧式又は電動式のアクチュエータであってもよい。
【０１２２】
上記実施形態のように、アクチュエータは、脚２２に展開方向の力を与えることによってベッド部２１を上昇させるものであってもよいが、脚２２自体に力を与えることなくベッド部２１に上昇方向の力を与えるものであってもよい。例えば、ベッド部２１と地面との間に配置され、地面を押すことによってベッド部２１を上昇させるアクチュエータであってもよい。
【産業上の利用可能性】
【０１２３】
以上説明したように、本発明は、救急現場等における傷病者の搬送などに用いられるストレッチャーについて特に有用である。
【図面の簡単な説明】
【０１２４】
【図１】実施形態１のストレッチャーの側面図である。
【図２】実施形態１のストレッチャーの側面図である。
【図３】実施形態２のストレッチャーの側面図である。
【図４】実施形態３のストレッチャーの側面図である。
【図５】実施形態４のストレッチャーの側面図である。
【図６】実施形態５のストレッチャーの側面図である。
【図７】実施形態６のストレッチャーの側面図である。
【図８】実施形態６のストレッチャーの側面図である。
【図９】実施形態７のストレッチャーの側面図である。
【図１０】実施形態７のストレッチャーの配管系統図である。
【図１１】ベッド部の高さと必要荷重との関係を示すグラフである。
【符号の説明】
【０１２５】
１                ストレッチャー
８，９            空気圧シリンダ（主上昇補助装置，主アクチュエータ）
１１，１３        吸入スイッチ
２１              ベッド部
２２              脚
２３              車輪
２４              前脚
２５              後脚
３１，３２，３３  スライダ
８３，８４        空気圧シリンダ（初期上昇補助装置，アクチュエータ）
８５，８６        ピストンロッド
【図１】
2005021626.tif 000003
【図２】
2005021626.tif 000004
【図３】
2005021626.tif 000005
【図４】
2005021626.tif 000006
【図５】
2005021626.tif 000007
【図６】
2005021626.tif 000008
【図７】
2005021626.tif 000009
【図８】
2005021626.tif 000010
【図９】
2005021626.tif 000011
【図１０】
2005021626.tif 000012
【図１１】
2005021626.tif 000013